Podtech/llm-jp-corpus-v4-ja_patent huggingface dataset:
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
３次元オブジェクトの発生をもたらすために、紙基材の複数の層上へ接着剤の制御された塗布を提供する、ラピッドプロトタイピング用の積層物体造型(ＬＯＭ)システムであって、該システムは、
ａ）前記接着剤のためのチャンバと、
ｂ）該チャンバから前記紙基材上へ、ビルド位置に前記接着剤を分注するための、前記チャンバと流体連結している分注器と、
ｃ）複数枚の紙のシートを収容し、かつ必要に応じて、複数枚のシートの個々のシートを供給するための紙供給機構と、
ｄ）後に続く接着剤の塗布のため、前記個々のシートを、前記紙供給機構からビルドオブジェクト位置へ運ぶための手段と
を具えることを特徴とする積層物体造型システム。
【請求項２】
後に続く前記紙基材への接着剤の分注のため、前記分注器を前記紙基材の特定の位置に移動させるよう前記分注器に作用する制御手段を具える請求項１に記載の積層物体造型システム。
【請求項３】
前記紙供給機構は、異なる厚さの紙のシートを収容するよう構成される請求項１または２に記載の積層物体造型システム。
【請求項４】
３次元有色オブジェクトの製造を可能にするために、異なる色のシートで動作可能である請求項１〜３のいずれか一項に記載の積層物体造型システム。
【請求項５】
前記紙供給機構は、異なる色の複数のシートを収容し、かつ必要に応じて、該複数のシートの個々の一枚を選択的に供給するよう構成される請求項４に記載の積層物体造型システム。
【請求項６】
前記分注器は、円周方向に間隔を空けて配置された、ワイプで接着剤を収容するための複数の凹部をもつ接触表面を有する接着剤塗布輪を具え、該塗布輪の回転により接着剤を対象基材に運び、該対象基材上の離れた位置に、制御された量の接着剤を付着させ、前記塗布輪および前記ワイプはともに、密封接着剤充填チャンバを画定する、請求項１〜５のいずれか一項に記載の積層物体造型システム。
【請求項７】
前記接触表面は、前記ワイプと密封接触するよう構成される請求項６に記載の分注器。
【請求項８】
前記ワイプを前記塗布輪と密封接触した状態に維持するための、バイアス手段を具える請求項６または７に記載の分注器。
【請求項９】
前記分注器が、対象基材に対して移動するよう取り付けられる請求項１に記載の積層物体造型システム。
【請求項１０】
ｘ−ｙフレーム上の多機能性ヘッドを具え、かつ前記対象基材に対してｘ−ｙフレーム上を移動するよう構成される請求項１に記載の積層物体造型システム。
【請求項１１】
対象基材材料の複数の個々のシートとともに用いられる請求項１〜１０のいずれか一項に記載の積層物体造型(ＬＯＭ)システムであって、該システムは、
前記複数のシートのためのレシーバを含み、
該レシーバに隣接して設けられたシート供給機構を具え、
供給ローラおよび掴みヘッドであって、ビルドオブジェクトを形成するため、前記供給ローラからシートを引き出し、必要に応じて、該シートを前記対象基材上に位置付けるよう構成された供給ローラおよび掴みヘッドを具える積層物体造型システム。
【請求項１２】
前記掴みヘッドは、前記ローラからシートを掴むよう構成される請求項１１に記載の積層物体造型システム。
【請求項１３】
前記掴みヘッドは、支持表面および掴み部を有し、該掴み部は、前記支持表面から分離した休み位置、および、前記支持表面と接触する掴み位置から動くよう作動する請求項１１または１２に記載の積層物体造型システム。
【請求項１４】
前記掴みヘッドは、前記シート材料の前端を掴むよう構成される請求項１３に記載の積層物体造型システム。
【請求項１５】
前記シートが前記対象基材上の位置まで引き出されるとき、前記支持表面は、前記シートの制御された曲げを提供するよう構成されたくさび形状を有する請求項１３または１４に記載の積層物体造型システム。
【請求項１６】
前記レシーバは、前記複数のシートをスタック配置で収容するよう構成され、前記スタックの個々のシートは、少なくとも色において、スタックの他のシートとは異なる請求項１２〜１５のいずれか一項に記載の積層物体造型システム。
【請求項１７】
請求項１〜１６のいずれか一項に記載のシステムを用意し、
引き続いて水ベースの接着剤を用いて相互に接着される紙の個々のシートのスタックを用いて３次元モデルを作り出し、前記接着剤分注器は前記紙の特定の位置に前記接着剤の制御された塗布を提供し、
スクラップ材料から前記３次元モデルを分離し、
前記スクラップ材料を廃棄する
ことを具えるラピッドプロトタイピング方法。
【請求項１８】
大きな３次元モデルを作り出すため、水ベースの接着剤を用いて、２以上の３次元モデルを相互に接着する後続ステップを含む請求項１７に記載のラピッドプロトタイピング方法。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
シリンダ状の収容スペースと、軸方向の上面（２４´）および軸方向の下面（２４´´）を有しかつ弾力性があり柔軟性のある材料からなるピストン式ワイパプレート（２４）を有する押出しピストン（２２）の形態をとる、前記収容スペースの中で軸方向に移動可能な押出し手段と、を有し、
非圧縮状態で前記ワイパプレートの周りにしっかりと連なっている放射状に外側のスクレーパ縁部（２４Ａ）を有し、
固形の作業物質を溶融するための押出し側部加熱領域を有する、
復元可能に再装填できる袋用溶融装置（１０）であって、
前記ワイパプレート（２４）は、自らの軸方向の上面および／または自らの軸方向の下面におよび／または自らの軸方向の上面と下面との間に挿入されており、かつ前記ワイパプレートの少なくとも１つの径方向の圧縮を可能にする少なくとも１つの開口部（２４Ｃ，２４Ｄ）が設けられていること、および
前記開口部（２４Ｃ，２４Ｄ）へは、少なくとも１つの膨張可能な復元要素（２５）が挿入されておりまたは挿入可能であることを特徴とする袋用溶融装置（１０）。
【請求項２】
前記少なくとも１つの開口部（２４Ｃ，２４Ｄ）は、放射状であることを特徴とする請求項１に記載の袋用溶融装置。
【請求項３】
径方向に延びており、ギャップによって互いに分けられており、かつ少なくとも自らの径方向の外縁で繋がっている複数の円弧が設けられていることを特徴とする請求項１または２に記載の袋用溶融装置。
【請求項４】
前記復元要素は、ゴム弾性的な材料を有することを特徴とする請求項１ないし３のいずれか１項に記載の袋用溶融装置。
【請求項５】
前記復元要素は、前記少なくとも１つの開口部と実質的に同形に形成されていることを特徴とする請求項１ないし４のいずれか１項に記載の袋用溶融装置。
【請求項６】
前記収容スペースから押出し可能な作業物質（１６）のためのシリンダ状の収容スペース（１２）の挿入口に、挿入用錐形部（１２Ｃ´）が設けられていることを特徴とする請求項１ないし５のいずれか１項に記載の袋用溶融装置。
【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
包装袋（１８）に包装された固形の作業物質、例えば、ホットメルト接着剤（１６）を連続的に溶融するための、および溶融された作業物質を前記包装袋から押し出すための袋用溶融装置であって、
端部側の少なくとも１つの出口開口部（１４Ａ）を備えるシリンダ状の収容スペース（１２）であって、作業物質で満たされておりかつ前端（１８Ｂ）および後端（１８Ａ）を有する包装袋（１８）を収容するために用いられる収容スペースと、
前記少なくとも１つの出口開口部（１４Ａ）の領域に設けられた少なくとも１つの加熱要素（３０）であって、溶融された作業物質のための排出開口部（１８Ｃ）を有する、前記包装袋（１８）の、前側の前端で、前記作業物質を溶融するために用いられる加熱要素と、
前記収容スペース（１２）の中で移動可能でありかつ前記包装袋（１８）の前記後端（１８Ａ）に作用する押出しピストン（２２）を有する押出し手段（２０）と、
前記袋用溶融装置に収容されておりかつ前記固形の作業物質（１６）を収容する前記包装袋（１８）と、
を具備する袋用溶融装置において、
前記少なくとも１つの出口開口部（１４Ａ）に向いた、前記収容スペース（１２）の出口端（１２Ｄ）は、環状の収縮部（４０）を有し、この収縮部は、前記排出開口部（１８Ｃ）を取り囲む、少なくとも、前記包装袋の縁部ゾーン（１８Ｄ）に、前記包装袋（１８）のための、周囲に密閉する支持面（４０Ａ）を有し、前記出口端は、前記固形の作業物質を溶融するための、押出し側の加熱ゾーンを有することを特徴とする装置。
【請求項２】
前記収縮部（４０）の前記密閉面（４０Ａ）は、前記収容スペース（１２）の下方の出口端（１２Ｄ）へ向かって徐々に、特に錐形にテーパをなすことを特徴とする請求項１に記載の装置。
【請求項３】
前記環状の収縮部(４０)は、前記収容スペース（１２）の下方の端部領域に、しっかりとまたは取外し可能に挿入可能な環状要素の構成部分であることを特徴とする請求項１または２に記載の装置。
【請求項４】
前記押出しピストン（２２）は、前記収容スペース１２の横断面に関して断面的にテーパをなすヘッドプレート(２６)を有し、このヘッドプレートは、前記押出しピストンに対し軸方向に移動可能であることを特徴とする、請求項１の前提部分に記載の、特に請求項１ないし３のいずれか１項に記載の装置。
【請求項５】
前記ヘッドプレート（２６）が、溶融可能な作業物質の溶融されるゾーン（１６Ａ）に接近し、またはそのゾーンに達するとき、ばね装置、例えば、圧縮ばね（２８）が前記ヘッドプレート（２６）を軸方向に前進させることを特徴とする請求項４に記載の装置。
【請求項６】
前記押出しピストン（２２）は、前記収容スペース（１２）の前記シリンダ状の内壁（１２Ａ）と接触するスクレーパまたはワイパプレート（２４）を有してなる装置において、
前記スクレーパまたはワイパプレート（２４）は、自らの軸方向の上面および／または自らの軸方向の下面におよび／または自らの軸方向の上面と下面との間に挿入されており、かつ前記スクレーパまたはワイパプレート（２４）の少なくとも１つの径方向の圧縮を可能にする少なくとも１つの開口部（２４Ｃ，２４Ｄ）を有することを特徴とする、請求項１ないし３または４ないし５のいずれか１項に記載の装置。
【請求項７】
前記スクレーパまたはワイパプレート（２４）の前記開口部（２４Ｃ，２４Ｄ）へは、少なくとも１つの膨張可能な復元要素（２５）が挿入されていることを特徴とする請求項６に記載の装置。
【請求項８】
前記開口部（２４Ｃ，２４Ｄ）は、星形に形成されており、径方向に延びたストリップを有することを特徴とする請求項６または７に記載の装置。
【請求項９】
前記膨張可能な復元要素は、ゴム弾性であり、前記スクレーパまたはワイパプレート（２４）よりも容易に弾性変形可能であることを特徴とする請求項７または８に記載の装置。
【手続補正２】
【補正対象書類名】明細書
【補正対象項目名】００１１
【補正方法】変更
【補正の内容】
【００１１】
前記の、請求された、かつ実施の形態に記載された、本発明により用いられる構成要素は、自らの大きさ、形状、材料の選択および技術的なコンセプトにおいて、特殊な例外的条件を受け入れない。それ故に、適用領域で知られた選択基準は、制限なしに用いられる。
【誤訳訂正書】
【提出日】平成24年10月12日(2012.10.12)
【誤訳訂正１】
【訂正対象書類名】明細書
【訂正対象項目名】００１６
【訂正方法】変更
【訂正の内容】
【００１６】
更に、ワイパゴムの材料は、例えば１つ以上の充填剤を含有する。生じるワイパゴムの機械的性質は、充填剤混合物の適した構成によって高度に影響を及ぼされうる。充填剤としては、ファーネスブラックまたはサーマルブラックと共に所謂白色の充填剤、例えば酸化亜鉛、アルカリ土類金属硫酸塩、アルカリ土類金属炭酸塩等がこれに該当する。この場合には、例えば充填材含量は、例えばゴム材料中に含有されたゴム成分１００質量部に対して２０〜１５０質量部、特に２０〜１００質量部、殊に２５〜７０質量部で混和される。
【誤訳訂正２】
【訂正対象書類名】特許請求の範囲
【訂正対象項目名】全文
【訂正方法】変更
【訂正の内容】
【特許請求の範囲】
【請求項１】
加硫によって硬化された少なくとも１つのゴム成分を含むウィンドワイパ用ワイパゴムにおいて、ワイパゴムの材料が少なくとも未加硫の状態で架橋剤と硫黄および／または硫黄供与体との組合せ物ならびに充填剤を含有し、
ゴム成分として、ポリクロロプレンと天然ゴム、ポリイソプレンおよび／または少なくとも部分的にエポキシ化された天然ゴムとの混合物を含有し、
充填剤として、ファーネスブラックまたはサーマルブラックを含有することを特徴とする、ウィンドワイパ用ワイパゴム。
【請求項２】
架橋剤がトリアジンおよび／またはチアジアゾールである、請求項１記載のワイパゴム。
【請求項３】
架橋剤、硫黄および硫黄供与体の含量が少なくともワイパゴムの未加硫の状態でワイパゴムの材料中のゴム成分の全含量に対して０．３〜３０質量％である、請求項１または２記載のワイパゴム。
【請求項４】
硫黄供与体がジチオホスフェート、チウラムおよび／またはカプロラクタムジスルフィドである、請求項１から３までのいずれか１項記載のワイパゴム。
【請求項５】
硫黄供与体は少なくともワイパゴムの未加硫状態でワイパゴムの材料中のゴム成分の全含量に対して０．０１〜８質量％が含有されている、請求項１から４までのいずれか１項記載のワイパゴム。
【請求項６】
ワイパゴムの材料が少なくとも未加硫状態で付加的に加硫促進剤を含有する、請求項１から５までのいずれか１項記載のワイパゴム。
【請求項７】
加硫促進剤がスルフェンアミド、グアニジン、チウラム、アルキルチアゾリジンチオンおよび／またはチアゾールである、請求項６記載のワイパゴム。
【請求項８】
スルフェンアミドがチアゾールスルフェンアミドである、請求項７記載のワイパゴム。
【請求項９】
加硫促進剤は少なくともワイパゴムの未加硫状態でワイパゴムの材料中のゴム成分の全含量に対して０．１〜８質量％が含有されている、請求項６から８までのいずれか１項記載のワイパゴム。
【請求項１０】
二次加硫促進剤が遷移金属アルキルジチオホスフェートの形で設けられている、請求項１から９までのいずれか１項記載のワイパゴム。
【請求項１１】
ポリクロロプレンは、ゴム成分の全含量に対して少なくとも２０質量％が含有されている、請求項１０記載のワイパゴム。
【請求項１２】
天然ゴム、ポリイソプレンまたはエポキシ化された天然ゴムは、ゴム成分の全含量に対して少なくとも３０質量％が含有されている、請求項１０または１１記載のワイパゴム。
【請求項１３】
ワイパゴムの材料が付加的に１つの金属酸化物を含有する、請求項１から１２までのいずれか１項記載のワイパゴム。
【請求項１４】
ワイパブレードにおける可動的用途のための、またはドアシーリングにおける、請求項１から１３までのいずれか１項に記載のワイパゴムの使用。
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
切削インサート（１０）であって、
上面（１２）と、下面（１４）と、前記上面（１２）および前記下面（１４）の間に延出する２つの側面（２４）との間に延出する前面（２０）であって、前記上面（１２）は、前記上面（１２）の両側にあるコーナ面（１６）を介して各前記側面（２４）を結びつける、前面（２０）と、
前記前面（２０）と前記上面（１２）の交差部に形成された、前記上面（１２）と関連付けられた主要切れ刃（３２）と、
前記前面（２０）と各前記側面（２４）の交差部に形成された副切れ刃（３４）と、
前記前面（２０）と各前記コーナ面（１６）の交差部に形成されたコーナ切れ刃（３６）とを備え、
前記主要切れ刃（３２）、前記副切れ刃（３４）、および前記コーナ切れ刃（３６）は、前記前面（２０）でそれらと関連付けられたすくい面（３８）を有し、
前記上面（１２）の前面部分（４６）は、前記切削インサート（１０）の側面図で分かるように、前記主要切れ刃（３２）から後方に、かつ前記上面（１２）の中央部分（４８）に向かって上方に延出し、前記上面（１２）の前面部分（４６）は、主要切れ刃（３２）の全体から後方に延在し、
前記主要切れ刃（３２）は、前記切削インサート（１０）の正面図で分かるように、各前記副切れ刃（３４）に向かって下方に湾曲および傾斜し、
前記主要切れ刃（３２）は、前記切削インサート（１０）の上面図で分かるように前記コーナ切れ刃（３６）から内方かつ後方に傾斜し、
前記主要切れ刃（３２）の全長は、円筒形表面にあることを特徴とする切削インサート（１０）。
【請求項２】
前記前面（２０）は、前記上面（１２）と前記下面（１４）の間の中間に配置された第１の対称面（Ｐ１）に対して鏡面対称を有し、
前記すくい面（３８）は、前記前面（２０）の周縁部全体に沿って延出することを特徴とする請求項１に記載の切削インサート（１０）。
【請求項３】
前記切削インサート（１０）は、前記上面（１２）の前記中央部分（４８）、および前記側面（２４）に垂直な第２の対称面（Ｐ２）に対して鏡面対称を有し、
前記第２の対称面（Ｐ２）は、前記前面（２０）と後面（２２）の間の中間に配置されたことを特徴とする請求項１に記載の切削インサート（１０）。
【請求項４】
前記主要切れ刃（３２）は、前記切削インサート（１０）の上面図で分かるように連続的に湾曲することを特徴とする請求項１に記載の切削インサート（１０）。
【請求項５】
前記上面（１２）の前記前面部分（４６）は、前記切削インサート（１０）の側面図で分かるように、上方の傾き角（β）で前記上面（１２）の前記中央部分（４８）に向かって上方に延出し、前記上方の傾き角（β）は１°から１５°の範囲にあることを特徴とする請求項１に記載の切削インサート（１０）。
【請求項６】
前記主要切れ刃（３２）は、湾曲し、複数の扇形セグメント（５０）から形成され、
各前記扇形セグメント（５０）は、異なる半径を有し、
前記扇形セグメント（５０）の前記半径は、前記切削インサート（１０）の正面図で分かるように、５ｍｍから無限大に変わることを特徴とする請求項１に記載の切削インサート（１０）。
【請求項７】
前記すくい面（３８）は、前記切削インサート（１０）の内側方向に延出することを特徴とする請求項１に記載の切削インサート。
【請求項８】
前記側面（２４）のうちの１つにある側方逃げ面（５６）であって、前記側方逃げ面（５６）は、前記側方逃げ面（５６）の第１の縁部（５８）にある、前記副切れ刃（３４）、および前記側方逃げ面（５６）の第２の縁部（６２）にあるコーナ面（１６）のうちの１つを結びつける、側方逃げ面（５６）をさらに備えることを特徴とする請求項１による切削インサート（１０）。
【請求項９】
前記切削インサート（１０）は、前記主要切れ刃（３２）から前記下面（１４）に向かって延出する第１のランド（５２）を有し、
前記第１のランド（５２）は、前記上面（１２）の前記中央部分（４８）、および前記側面（２４）に垂直な第２の対称面（Ｐ２）に対して第１のランド角（γ）で傾斜され、
前記第１のランド角（γ）は、前記主要切れ刃（３２）の側断面で分かるように、また前記主要切れ刃（３２）から上方に測定して、−１０°から２０°の範囲にあることを特徴とする請求項１に記載の切削インサート（１０）。
【請求項１０】
前記切削インサート（１０）は、前記第１のランド（５２）から前記下面（１４）に向かって延出する第２のランド（５４）を有し、
前記第２のランド（５４）は、前記第２の対称面（Ｐ２）に対して第２のランド角（δ）で傾斜し、
前記第２のランド角（δ）は、前記主要切れ刃（３２）の側断面で分かるように、また前記主要切れ刃（３２）から下方に測定して、−１０°から２５°の範囲にあることを特徴とする請求項９に記載の切削インサート（１０）。
【請求項１１】
前記すくい面（３８）は、前記第２のランド（５４）から前記下面（１４）に向かって延出し、
前記すくい面（３８）は、前記第２の対称面（Ｐ２）に対してすくい角（θ）で傾斜し、
前記すくい角（θ）は、前記主要切れ刃（３２）の側断面で分かるように、また前記主要切れ刃（３２）から上方に測定して、０°から６０°の範囲にあることを特徴とする請求項１０に記載の切削インサート（１０）。
【請求項１２】
前記切削インサート（１０）は、前記上面（１２）および前記下面（１４）の前記中央部分（４８）の間の中間に配置され、上面（１２）および下面（１４）の前記中央部分（４８）に平行であり、前記側面（２４）に平行である対称軸（Ｂ）に対して回転対称を有することを特徴とする請求項１に記載の切削インサート（１０）。
【請求項１３】
前記側方逃げ面（５６）は、
前記側面（２４）の中央部分（６０）に平行であり、
前記上面（１２）および前記下面（１４）の前記中央部分（４８）に垂直であり、
前記前面（２０）の中央（２６）を通過する、第３の対称面（Ｐ３）に対して径方向の逃げ角（λ）で傾斜し、
前記径方向の逃げ角（λ）は、前記切削インサート（１０）の正面図で分かるように、０°から５°の範囲にあることを特徴とする請求項１２に記載の切削インサート（１０）。
【請求項１４】
前記側方逃げ面（５６）は、前記第３の対称面（Ｐ３）に対して周縁部の逃げ角（φ）で傾斜し、
前記周縁部の逃げ角（φ）は、０°から８°の範囲にあることを特徴とする請求項１３に記載の切削インサート（１０）。
【請求項１５】
前記切削インサートは、前記上面（１２）と前記下面（１４）の間に延出する貫通ボア（１８）を備え、
前記切削インサート（１０）は、前記上面（１２）および前記下面（１４）の前記中央部分（４８）の間の中間に配置され、前記上面（１２）および前記下面（１４）の前記中央部分（４８）に平行であり、前記側面（２４）に平行である対称軸（Ｂ）に対して１８０°回転対称を有することを特徴とする請求項１３に記載の切削インサート（１０）。
【手続補正書】
【提出日】平成23年11月24日(2011.11.24)
【手続補正１】
【補正対象書類名】特許請求の範囲
【補正対象項目名】全文
【補正方法】変更
【補正の内容】
【特許請求の範囲】
【請求項１】
本体と、
ネジ、ループ、クリップ、クランプ、または留め具の少なくとも1つによって患者の身体内部の組織に付着するように適合された、前記本体の第1の末端と、
留置装置と係合されかつ留置装置から解放されるように設計されたインターフェースを含む、前記第1の末端の反対にある前記本体の第2の末端であって、前記インターフェースが、留置装置から磁気エネルギーまたは力学的エネルギーの少なくとも1つを受け取るように適合されている、前記本体の第2の末端と
を含み、体外装置の使用によって患者の身体内部の組織を牽引するように前記本体が適合されている、体内装置；
中心部および周辺端部を含み、可動性であり、かつ患者の身体に極めて接近して留置されるように適合された本体と、
前記本体に連結された磁気エネルギー源と
を含み、患者の組織が牽引され得るように患者の身体内部の組織に付着している体内装置へと磁気エネルギーを送るように前記本体が適合されている、体外装置；ならびに
本体と、
前記本体の第1の末端に近接し、かつ体内装置を選択的に係合および解放するように適合されたコネクタであって、前記本体の前記第1の末端がシャフトを含む、コネクタと、
体内装置を係合および解放するために前記コネクタを制御するように前記コネクタに動作可能に接続され、遠位端で体内装置と係合するように設計され、かつ患者の体内に体内装置を留置して解放するように適合された、前記本体の第2の末端に近接した第1のインターフェースと、
レバー、ばね、ボタン、引き金、回転可能なノブ、または鋏状の機構の少なくとも1つを含み、留置装置から体内装置へと力学的エネルギーを送るように適合された、前記第2の末端に近接した第2のインターフェースと
を含む留置装置
を含む外科手術システム。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
軸方向に配置され径方向に拡張可能な複数のステントセグメントを備える管腔人工器官において、
前記セグメントが、前記セグメントを連結する連結部分を有し、
前記セグメントが、前記セグメントの前記連結部分が互いに係合された、たたまれた送達構成と、前記連結部分が分離された展開構成と、の間で動くことができ、
前記連結部分が雄型部分および雌型部分を備え、隣接するステントセグメントの前記雄型部分と雌型部分とが、前記たたまれた送達構成においては互いに係合され、
前記雌型部分が、隣接するステントセグメントの軸方向に延在する対応する雄型部分（２０）を受ける入口を有する、軸方向に延在する通路を備え、
前記雄型部分および前記雌型部分の各々が、互いに係合可能な第１嵌合部と、互いに係合可能な第２嵌合部とを備え、前記第１嵌合部および前記第２嵌合部は、前記たたまれた送達構成において、前記通路の前記入口の内方にて軸方向に互いに離れており、かつ、前記通路に沿って軸方向に間隔を置かれており、
前記第１嵌合部および前記第２嵌合部のそれぞれは、前記ステントセグメントが前記展開構成に近くなるまで前記連結部分の分離を遅らせるようになされている、
人工器官。
【請求項２】
前記第２嵌合部が、前記入口から遠い前記通路の端部に配置される、請求項１に記載の人工器官。
【請求項３】
前記第２嵌合部が、頭部部分、および前記頭部部分と係合するソケット部分を備える、請求項１または２に記載の人工器官。
【請求項４】
前記ソケット部分が、前記ソケット部分の中に前記頭部部分を保持するように前記頭部部分に対して寸法の縮小したネック部を備える、請求項３に記載の人工器官。
【請求項５】
前記頭部部分がボールを備える、請求項４に記載の人工器官。
【請求項６】
前記頭部部分が、少なくとも１つの径方向に延在する突起を備える、請求項４に記載の人工器官。
【請求項７】
前記頭部部分が、一対の反対方向に向いた突起を備える、請求項６に記載の人工器官。
【請求項８】
前記突起部分が概ね直線形状のもの、または、概ね楔形状のもの、または、概ね曲線形状のものである、請求項６または７に記載の人工器官。
【請求項９】
前記雄型部分および雌型部分が、拡張時に異なる変形および／または変位を受ける、請求項１から８のいずれかに記載の人工器官。
【請求項１０】
前記雌型部分または雄型部分の一方が、拡張時に変形および／または変位を受け、前記雄型部分または雌型部分の他方が、有意な変形または変位を受けない、請求項９に記載の人工器官。
【請求項１１】
前記雌型部分が拡張時に変形および／または変位を受け、前記雄型部分が有意な変位または変形を受けない、請求項１０に記載の人工器官。
【請求項１２】
前記雄型部分および雌型部分の両方が、拡張時に変形および／または変位を受ける、請求項１０に記載の人工器官。
【請求項１３】
前記雄型部分が拡張時に変形および／または変位を受け、前記雌型部分が有意な変位および／または変形を受けない、請求項１０に記載の人工器官。
【請求項１４】
前記たたまれた送達構成において、前記雄型部分が前記雌型部分の中に実質的に完全に延在しており、
前記たたまれた送達構成において、前記雄型部分が前記雌型部分を実質的に満たすように構成されることができる、請求項１から１３のいずれかに記載の人工器官。
【請求項１５】
前記ステントセグメントが、第１組の支柱要素および第２組の支柱要素を備える、請求項１から１４のいずれかに記載の人工器官。
【請求項１６】
前記ステントセグメントが、前記第１組の支柱要素の少なくともいくつかを前記第２組の支柱要素の少なくともいくつかに連接する、第１組の１つまたは複数の連接要素を備える、請求項１５に記載の人工器官。
【請求項１７】
前記連接要素が前記支柱要素よりも柔軟であり、
前記連接要素が、前記第１組の支柱要素と前記第２組の支柱要素との間に非直線的に延在することができ、
前記連接要素が、実質的に「Ｓ形状」、実質的に「Ｗ形状」、実質的に「Ｍ形状」、または、実質的に「Ｖ形状」に延在することができる、請求項１６に記載の人工器官。
【請求項１８】
閉じた小区画が、前記第１組の支柱要素、前記第２組の支柱要素、および前記連接要素の間か、または、前記第１組の支柱要素の２つの支柱要素、前記第２組の支柱要素の２つの支柱要素、および２つの連接要素の間か、または、前記第１組の支柱要素の４つの支柱要素、前記第２組の支柱要素の４つの支柱要素、および２つの連接要素の間に画定される、請求項１６または１７に記載の人工器官。
【請求項１９】
前記第１組の支柱要素と前記第２組の支柱要素とが、少なくとも１つの連接要素によって周囲方向に連結される、請求項１８に記載の人工器官。
【請求項２０】
軸方向に配置され径方向に拡張可能な複数のステントセグメントを備える管腔人工器官において、
前記セグメントが、前記セグメントを連結する連結部分を有し、
前記セグメントが、前記セグメントの前記連結部分が互いに係合された、たたまれた送達構成と、前記連結部分が分離された展開構成と、の間で動くことができ、
前記連結部分が雄型部分および雌型部分を備え、隣接するステントセグメントの前記雄型部分と雌型部分とが、前記たたまれた送達構成においては互いに係合され、
前記雄型部分および／または雌型部分が、前記ステントセグメントが前記展開構成に近くなるまで前記連結部分の分離を遅らせる遅延手段を有し、
前記雄型部分が、拡張時に変形および／または変位を受け、前記雌型部分が、有意な変形または変位を受けない、
人工器官。
【請求項２１】
軸方向に配置され径方向に拡張可能な複数のステントセグメントを備える内部人工器官において、
前記セグメントが、前記セグメントを連結する連結部分を有し、
前記セグメントが、前記セグメントの前記連結部分が互いに係合された、たたまれた送達構成と、前記連結部分が分離された展開構成と、の間で動くことができ、
前記セグメントが、第１組の支柱要素と、第２組の支柱要素と、前記第１組の支柱要素の少なくともいくつかを前記第２組の支柱要素の少なくともいくつかに連接する第１組の１つまたは複数の連接要素と、を備え、前記連接要素が前記支柱要素よりも柔軟である、
人工器官。
【手続補正書】
【提出日】平成24年6月1日(2012.6.1)
【手続補正１】
【補正対象書類名】特許請求の範囲
【補正対象項目名】全文
【補正方法】変更
【補正の内容】
【特許請求の範囲】
【請求項１】
経口摂取のための溶解可能圧縮タバコ製品であって、
（ａ）３０重量％から５０重量％の少なくとも１つのタバコ成分、
（ｂ）１重量％から１５重量％の少なくとも１つの香味料、
（ｃ）５重量％から３５重量％の少なくとも１つの充填剤−結合剤、
（ｄ）１重量％から３重量％の少なくとも１つの甘味料、
（ｅ）１重量％未満の少なくとも１つの潤滑剤、
（ｆ）少なくとも１つの乾燥剤、
（ｇ）１重量％未満の少なくとも１つの流動促進剤、及び
（ｈ）少なくとも１つの脂質、
を含む組成物から形成される、
ことを特徴とする製品。
【請求項２】
前記少なくとも１つの脂質は、圧縮タバコ製品マトリックス内に注入されることを特徴とする請求項１に記載の圧縮タバコ製品。
【請求項３】
前記少なくとも１つの脂質は、圧縮タバコ製品の表面上にシェルコーティングを形成することを特徴とする請求項１に記載の圧縮タバコ製品。
【請求項４】
タブレットの形態であることを特徴とする請求項１に記載の圧縮タバコ製品。
【請求項５】
香料、着色剤、及び保存料の群から選択された１つ又はそれよりも多くの添加剤を更に含むことを特徴とする請求項１に記載の圧縮タバコ製品。
【請求項６】
溶解可能圧縮タバコ製品を作る方法であって、
（ａ）粉砕または粉末状の少なくとも１つのタバコ成分、少なくとも１つの香味料、少なくとも１つの充填剤−結合剤、少なくとも１つの甘味料、少なくとも１つの潤滑剤、少なくとも１つの乾燥剤、及び少なくとも１つの流動促進剤の混合物を形成する段階、
（ｂ）前記混合物をダイに圧縮して圧縮タバコ製品を形成する段階、及び、
（ｃ）前記圧縮タバコ製品に少なくとも１つの脂質を注入する段階を含むことを特徴とする方法。
【請求項７】
少なくとも１つの脂質を含むシェルコーティングを前記圧縮タバコ製品の表面上に形成する段階を更に含むことを特徴とする請求項６に記載の方法。
【請求項８】
前記圧縮タバコ製品に少なくとも１つの脂質を注入する前記段階は、該少なくとも１つの脂質を含有する油浴に該圧縮タバコ製品を置く段階と、該圧縮タバコ製品の割れ目空間を該少なくとも１つの脂質で充填する段階と、該圧縮タバコ製品を加熱する段階とを含むことを特徴とする請求項６に記載の方法。
【請求項９】
前記圧縮タバコ製品に少なくとも１つの脂質を注入する前記段階は、粉末状タバコ積層体と少なくとも１つの脂質とを含む混合物を形成する段階と、粉末状タバコ積層体と少なくとも１つの脂質との該混合物を加熱する段階と、該加熱した混合物を段階（ａ）の前記混合物に追加する段階とを含むことを特徴とする請求項６に記載の方法。
【請求項１０】
前記混合物は、ｐＨ調整剤を更に含むことを特徴とする請求項６に記載の方法。
【請求項１１】
前記少なくとも１つの香味料は、ペパーミント、茶、カカオ、スパイス、アーモンド、バニラ、ラム、アマレット、ブランデー、又はこれらの混合物を含むことを特徴とする請求項６に記載の方法。
【請求項１２】
前記少なくとも１つの充填剤−結合剤は、微結晶性セルロース、スプレー処理ラクトース、無水リン酸二カルシウム、スプレー処理スクロース、スプレーマルトデキストリン、又はこれらの混合物を含むことを特徴とする請求項６に記載の方法。
【請求項１３】
前記圧縮タバコ製品は、タブレットの形態であることを特徴とする請求項６に記載の方法。
【請求項１４】
前記混合物は、甘味料、香料、着色剤、及び保存料の群から選択された１つ又はそれよりも多くの添加剤を更に含むことを特徴とする請求項６に記載の方法。
【請求項１５】
前記混合物は、前記少なくとも１つのタバコ成分と少なくとも１つの香味料との第１の水性混合物を形成する段階と、前記少なくとも１つの充填剤−結合剤と、前記少なくとも１つの潤滑剤と、前記少なくとも１つの流動促進剤との第２の水性混合物を形成する段階と、該第１及び第２の混合物を組み合わせる段階とによって調製されることを特徴とする請求項６ないし１４のいずれか１つの請求項に記載の方法。
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
貯蔵されるバッテリ電荷を制御する方法であって、
１又は複数のバッテリの現在充電状態（ＳｏＣ）を感知して、ここから現在ＳｏＣデータを生成するステップと、
所望の１回のサイクルについての最大ＳｏＣ−最小ＳｏＣとして表わされる関係式により定義される現在偏位を感知して、ここから現在偏位データを生成するステップと、
前記現在ＳｏＣデータ及び前記現在偏位データに応じて前記１又は複数のバッテリの電力／電流充電限度を制御するステップと
を備えた方法。
【請求項２】
前記現在ＳｏＣデータ及び前記現在偏位データに応じて前記１又は複数のバッテリの電力／電流放電限度を制御するステップをさらに含んでいる請求項１に記載の貯蔵されるバッテリ電荷を制御する方法。
【請求項３】
前記現在ＳｏＣデータ及び前記現在偏位データに応じて前記１又は複数のバッテリの電力／電流放電限度を制御する前記ステップは、前記１又は複数のバッテリの所望の電力／電流放電率を保つステップを含んでいる、請求項２に記載の貯蔵されるバッテリ電荷を制御する方法。
【請求項４】
前記現在ＳｏＣデータ及び前記現在偏位データに応じて前記１又は複数のバッテリの電力／電流放電限度を制御する前記ステップは、前記１又は複数のバッテリの前記現在ＳｏＣデータ及び前記現在偏位データに基づいて電力／電流放電率制御限度を変調するステップを含んでいる、請求項２に記載の貯蔵されるバッテリ電荷を制御する方法。
【請求項５】
前記現在ＳｏＣデータ及び前記現在偏位データに応じて前記１又は複数のバッテリの電力／電流充電限度を制御する前記ステップは、前記１又は複数のバッテリの前記現在ＳｏＣデータ及び前記現在偏位データに基づいて電力／電流充電率制御限度を変調するステップを含んでいる、請求項１に記載の貯蔵されるバッテリ電荷を制御する方法。
【請求項６】
前記１又は複数のバッテリの前記現在ＳｏＣデータ及び前記現在偏位データに基づいて電力／電流充電率制御限度を変調する前記ステップは、前記偏位が増大するにつれて前記電力／電流充電率制御限度を上方調節するステップと、前記偏位が減少するにつれて前記電力／電流充電率制御限度を下方調節するステップとを含んでいる、請求項５に記載の貯蔵されるバッテリ電荷を制御する方法。
【請求項７】
前記１又は複数のバッテリの前記現在ＳｏＣデータ及び前記現在偏位データに基づいて電力／電流充電率制御限度を変調する前記ステップは、前記偏位が所望の限度を超えて増大するにつれて前記電力／電流充電率制御限度を上方調節するステップと、前記偏位が所望の限度を下回って減少するにつれて前記電力／電流充電率制御限度を下方調節するステップとを含んでいる、請求項５に記載の貯蔵されるバッテリ電荷を制御する方法。
【請求項８】
前記電力／電流充電率制御限度は線形態様で調節される、請求項６に記載の貯蔵されるバッテリ電荷を制御する方法。
【請求項９】
前記電力／電流充電率制御限度は非線形態様で調節される、請求項６に記載の貯蔵されるバッテリ電荷を制御する方法。
【請求項１０】
当該ハイブリッド車輛の燃料消費率が、一定型電力／電流充電システムを用いて達成可能な燃料消費率を上回って増大するように、前記現在ＳｏＣデータ及び前記現在偏位データに応じて前記１又は複数のバッテリの前記電力／電流充電限度を制御する前記ステップの間に前記１又は複数のバッテリを介して１回の走行業務の間にハイブリッド車輛に給電するステップをさらに含んでいる請求項１に記載の貯蔵されるバッテリ電荷を制御する方法。
【請求項１１】
前記ハイブリッド車輛は機関車を含んでいる、請求項１０に記載の貯蔵されるバッテリ電荷を制御する方法。
【請求項１２】
１回の走行業務の間にハイブリッド車輛に給電する前記ステップは、過剰な制動電力が利用可能となっているサイクルのみが高率で充電されるように、前記現在ＳｏＣデータ及び前記現在偏位データに応じて前記１又は複数のバッテリの前記電力／電流充電限度を制御するステップをさらに含んでいる、請求項１０に記載の貯蔵されるバッテリ電荷を制御する方法。
【請求項１３】
１回の走行業務の間にハイブリッド車輛に給電する前記ステップは、前記ハイブリッド車輛のバッテリ寿命及び性能が一定型電力／電流充電システムを用いて達成可能なバッテリ寿命及び性能を上回って増大するように、前記現在ＳｏＣデータ及び前記現在偏位データに応じて前記１又は複数のバッテリの前記電力／電流充電限度を制御するステップをさらに含んでいる、請求項１０に記載の貯蔵されるバッテリ電荷を制御する方法。
【請求項１４】
１又は複数のバッテリの現在充電状態（ＳｏＣ）に対応するデータを感知して生成するように構成されており、所望の１回のサイクルについての最大ＳｏＣ−最小ＳｏＣとして表わされる関係式により定義される現在偏位に対応するデータを感知して生成するようにさらに構成されているバッテリ充電センサと、
前記現在ＳｏＣデータ及び前記現在偏位データに応じて前記１又は複数のバッテリの電力／電流充電限度を制御するように構成されているバッテリ制御器と
を備えたバッテリ制御システム。
【請求項１５】
Control Limit（Ｐ，Ｉ）＝ｆ（Excursion，ＳｏＣ）
として定義される関係式に基づくバッテリ充放電電流制御限度の変調を介してハイブリッド車輛のバッテリ性能及び燃料節約を向上させるバッテリ制御システムであって、上式中、Ｐはアンペア−時間単位での合計バッテリ充電電力であり、Ｉはバッテリ充電／放電電流であり、ＳｏＣは、バッテリ・セルの充電状態を意味し、「Excursion」は、１回のサイクルについての最大ＳｏＣ−最小ＳｏＣとして定義されるサイクルの大きさを意味する、バッテリ制御システム。
【手続補正書】
【提出日】平成23年11月21日(2011.11.21)
【手続補正１】
【補正対象書類名】特許請求の範囲
【補正対象項目名】全文
【補正方法】変更
【補正の内容】
【特許請求の範囲】
【請求項１】
関節炎患者または糖尿病患者用の中底であって、
踵領域から爪先領域まで延びる長さと、上面と下面とを有する概ね足形の下層であり、アーチ・サポート領域と踵受取りカップ領域とを備える形状に一体的に形成された下層と、
第１および第２の面を有する合成ゴム層であり、前記第２の面が、前記下層の前記上面と同一の広がりを持ち、前記下層の前記上面に固定された合成ゴム層と、
前記合成ゴム層の前記第１の面と同一の広がりを持ち、前記合成ゴム層の前記第１の面に固定された上層と
を備える中底。
【請求項２】
前記下面がさらに、前記下面に一体的に形成された１つまたは複数の窪みを備え、前記窪みが、インサート層を受け取るように適合された、請求項１に記載の中底。
【請求項３】
前記窪みに固定された１つまたは複数のインサート層をさらに備える、請求項２に記載の中底。
【請求項４】
前記合成ゴム層がポリクロロプレン・ポリマーである、請求項１ないし３のいずれかひとつに記載の中底。
【請求項５】
３つの窪みを備え、前記窪みの１つが前記踵領域に配置され、前記窪みの１つが前記爪先領域に配置され、前記窪みの１つが中足領域に配置された、請求項２に記載の中底。
【請求項６】
前記インサートが、前記下層の材料よりも柔軟なテクスチャの付いた材料を含む、請求項３または５に記載の中底。
【請求項７】
前記下層がＥＶＡを含む、請求項５または６に記載の中底。
【請求項８】
前記上層が織物シートである、請求項１に記載の中底。
【請求項９】
前記上層がポリエチレン・フォームである、請求項１に記載の中底。
【請求項１０】
前記上層の厚さが約２ｍｍである、請求項９に記載の中底。
【請求項１１】
前記上層が独立気泡架橋フォーム材である、請求項１に記載の中底。
【請求項１２】
前記フォーム材の厚さが約２．５ｍｍから約３．８ｍｍ、好ましくは約３．２ｍｍである、請求項１１に記載の中底。
【請求項１３】
前記フォーム材の厚さが約３．２ｍｍである、請求項１２に記載の中底。
【手続補正２】
【補正対象書類名】明細書
【補正対象項目名】００２４
【補正方法】変更
【補正の内容】
【００２４】
本中底の下面（靴側）は図１に最も良く示されている。図１は左中底を示し、右中底が、示された左中底の鏡像となることは容易に想像することができる。中底は一般に対で販売および使用され、それぞれの対は右および左中底を含む。本中底の輪郭（１０）は、外側領域（１０Ｃ）、踵領域（１０Ｂ）、内側領域（１０Ａ）および爪先領域（１０Ｄ）に分割されている。
【手続補正３】
【補正対象書類名】明細書
【補正対象項目名】００２６
【補正方法】変更
【補正の内容】
【００２６】
線４−４、５−５、６−６および７−７に沿った断面については図４〜７に関して後に論じる。アーチ・サポート（３４）の下面にリッジ（３６）が示されている。多数の他のリッジおよび線も見える。
【手続補正４】
【補正対象書類名】明細書
【補正対象項目名】００２７
【補正方法】変更
【補正の内容】
【００２７】
図１の本中底の内側輪郭領域（１０Ａ）側から見た側面図２を参照すると、アーチ・サポート（３４）が上方へ延び、この図では、本中底の下面のリッジ（３６）、ならびに織物層（１）および中層（２）を見ることができる。層（１）は中層（２）に固定される。中層（２）の下面（靴側）に下層（３）が固定される。側面図２Ａを参照すると、層（１）がフォーム層である。
【手続補正５】
【補正対象書類名】明細書
【補正対象項目名】００２８
【補正方法】変更
【補正の内容】
【００２８】
下層（３）は本中底の形状を決定する。中層（２）および上布層または上フォーム層（１１）は、互いに固定され、前記下層（３）に固定されたときに、前記下層（３）によって決定された形状と同じ形状をとる均一な厚さの材料シートである。
【手続補正６】
【補正対象書類名】明細書
【補正対象項目名】００３０
【補正方法】変更
【補正の内容】
【００３０】
図３および図３Ａは、外側輪郭領域（１０Ｃ）から見た側面図を示す。内側輪郭領域（１０Ａ）が上方へ延びているため、この視点からも、内側輪郭領域（１０Ａ）、ならびにアーチ・サポート（３４）の上面を覆う上層（１）を見ることができる。中層（２）および下層（３）の側面も見ることができる。図３には、布またはフォームとすることができる薄い層が示されている。図３Ａには、より厚いフォーム層が示されている。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
それを必要とする患者において、血糖管理を維持するシステムであって、
グルコース結合部分に結合するグルコースの量に関連して光学的シグナルを即時に発生するように構成された、蛍光色素体とグルコース結合部分を含む化学的指示システムを含む、患者の体内に配置されるように構成された光学的グルコースセンサーと、
該グルコースセンサーに操作可能的に連結され、光学的シグナルを検知し、光学的シグナルから血液グルコース濃度を計算し、計算された血液グルコース濃度を表示するように構成されたモニターと、
表示された血液グルコース濃度が所定の濃度範囲外に変化する場合に、血液グルコース調節剤を投与するための送達装置と
を含み、
該送達装置は、血液グルコース濃度を所定の濃度範囲内に戻すのに十分な量の血液グルコース調節剤を送達し、それにより血糖管理を維持するように構成されているシステム。
【請求項２】
該モニターは、さらに、血液グルコース濃度が所定の濃度範囲外に変化する場合、可視警報、可聴警報、または、その両方を発生するように構成されている請求項１に記載のシステム。
【請求項３】
該モニターは、さらに、血液グルコース濃度が所定の濃度範囲外に変化する前に、血液グルコース調節剤を血液グルコース濃度の上昇または低下の傾向を反転するのに十分な量で投与できるように、血液グルコース濃度における変化の速度および方向を決定し、表示するように構成されている請求項１に記載のシステム。
【請求項４】
該モニターは、さらに、血液グルコース濃度の変化の速度が所定の値を超えた場合、警報を発生するように構成されている請求項３に記載のシステム。
【請求項５】
該所定の濃度範囲は、約６０〜約１３０ｍｇ／ｄｌグルコースである請求項１〜４のいずれか一項に記載のシステム。
【請求項６】
該所定の濃度範囲は、約８０〜約１１０ｍｇ／ｄｌである請求項１〜５のいずれか一項に記載のシステム。
【請求項７】
該血液グルコース調節剤は、インシュリン、グルコース、またはそれらの類似体または誘導体である請求項１〜６のいずれか一項に記載のシステム。
【請求項８】
該蛍光色素体は、蛍光色素、有機金属化合物、金属キレート、蛍光共役ポリマー、量子ドットまたはナノ粒子、および上記のものの組み合わせから成る群より選択される請求項１に記載のシステム。
【請求項９】
該蛍光色素は、約４００ｎｍ以上の波長の光によって励起できる請求項８に記載のシステム。
【請求項１０】
該蛍光色素は、光酸化、加水分解および生分解に対して安定である請求項８または９に記載のシステム。
【請求項１１】
該蛍光色素はＨＰＴＳ−ＴｒｉＣｙｓＭＡを含む請求項８に記載のシステム。
【請求項１２】
該グルコース結合部分は３，３’−ｏＢＢＶを含む請求項１に記載のシステム。
【請求項１３】
該蛍光色素体および該グルコース結合部分は、半透膜中に固定されている請求項１に記載のシステム。
【請求項１４】
該蛍光色素体および該グルコース結合部分は、ヒドロゲルマトリックス中に固定されている請求項１に記載のシステム。
【請求項１５】
該グルコースセンサーは光ファイバーを含む請求項１に記載のシステム。
【請求項１６】
さらに、光源を含む請求項１に記載のシステム。
【請求項１７】
グルコースのグルコース結合部分への結合は、血液グルコース濃度に関連した蛍光寿命の変化を引き起こす請求項１〜１６のいずれか一項に記載のシステム。
【請求項１８】
該化学的指示システムは、さらに、グルコース結合部分に結合するグルコースの量および血液ｐＨに関連して光学的シグナルを即時に同時に発生するように構成されている請求項１〜１６のいずれか一項に記載のシステム。
【請求項１９】
該モニターは、さらに、血液グルコース濃度を表示する前に、血液ｐＨの変化に合わせて血液グルコース濃度を補正するように構成されている請求項１８に記載のシステム。
【請求項２０】
それを必要とする患者において、血糖管理を維持するシステムであって、
光ファイバーの遠位端部分に沿って配置された指示システムを含み、血液グルコース濃度と血液ｐＨとを同時に測定できるグルコースセンサーを含み、
該指示システムは、ｐＨによって少なくとも第１および第２の異なる形態で存在し、この異なる形態は各々の第１および第２の発光に基づいて識別できる蛍光色素と、蛍光色素に操作可能的に結合したグルコース結合部分とを含み、
グルコース結合は、蛍光発光強度または蛍光発光寿命の光学的変化を引き起こし、この光学的変化は血液グルコース濃度に関連したものであり、
第１および第２の発光の比率は血液グルコース濃度に依存しないものであり、
該グルコースセンサーに操作可能的に連結され、発光シグナルをモニターし、光学的変化に基づいて血液グルコース濃度を決定し、酸型および塩基型の発光の比率に基づいて血液ｐＨを決定し、血液ｐＨの変化に合わせて血液グルコース濃度を即時に補正するように構成された制御装置を含むシステム。
【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
核酸結合分子と複合又は接合している核酸の配列を備え、
前記核酸結合分子は、１つ又はそれ以上のタンパク質導入ドメイン（ＰＴＤｓ）と１つ又はそれ以上のスペーサとを含む１つ又はそれ以上のスペーサ組み込み型ＰＴＤｓを含み、
前記スペーサは、前記核酸の配列と結合しない１つ又はそれ以上のアミノ酸の配列を含み、
少なくとも１つの前記スペーサは、抗体のＦｃドメインからなる複合体又は接合体。
【請求項２】
前記核酸は、リン酸骨格を含む１本鎖核酸である請求項１に記載の複合体又は接合体。
【請求項３】
前記スペーサ組み込み型タンパク質導入ドメイン（ＰＴＤｓ）は、３つ又はそれ以上のＰＴＤｓを含む請求項１に記載の複合体又は接合体。
【請求項４】
前記１本鎖核酸は、ｓｈＲＮＡ、アンチセンスＲＮＡ及びｃＤＮＡからなる群から選択される請求項２に記載の複合体又は接合体。
【請求項５】
前記スペーサ組み込み型タンパク質導入ドメイン（ＰＴＤ）は、ホモマーＰＴＤ及びヘテロマーＰＴＤからなる群から選択される請求項１に記載の複合体又は接合体。
【請求項６】
前記スペーサ組み込み型タンパク質導入ドメイン（ＰＴＤ）は、配列番号４３、配列番号４４、配列番号４５、配列番号４６、配列番号４７、配列番号４８、配列番号４９、配列番号５０、配列番号５１、配列番号５２、配列番号５３、配列番号５４、配列番号５５、配列番号５６、配列番号５７、配列番号５８、配列番号５９、配列番号６０からなる群から選択される配列を含む請求項１に記載の複合体又は接合体。
【請求項７】
前記核酸結合分子は、１つ又はそれ以上の核酸結合領域をさらに含み、
前記１つ又はそれ以上の拡散結合領域は、カチオン性物質を含む請求項１に記載の複合体又は接合体。
【請求項８】
前記カチオン性物質は、ポリリジン、ポリアルギニン及びポリエチレンイミンからなる群から選択される請求項７に記載の複合体又は接合体。
【請求項９】
前記核酸は、２本鎖ＲＮＡであり、２本の鎖のうちの１つは実質的に標的遺伝子と相補的である請求項１に記載の複合体又は接合体。
【請求項１０】
前記２本鎖ＲＮＡは、ｓｉＲＮＡ、ｍｉＲＮＡ、操作型ＲＮＡ前駆体及びｓｈＲＮＡからなる群から選択される請求項９に記載の複合体又は接合体。
【請求項１１】
前記核酸は、２本鎖核酸であり、
前記２本鎖核酸は、２本鎖ＤＮＡベクター、２本鎖ＲＮＡ、ハイブリッド２本鎖核酸及び環状ＲＮＡからなる群から選択される請求項１に記載の複合体又は接合体。
【請求項１２】
請求項１に記載の複合体又は接合体を含む組成物。
【請求項１３】
請求項１に記載の複合体又は接合体を生成する工程（ｉ）と、
細胞培養培地の中に、前記請求項１に記載の複合体又は接合体を加える工程（ii）と、
前記細胞培養培地を、培養する工程（iii）とを備え、
前記核酸は、細胞の中に導入される、細胞内への核酸の導入を促進する方法。
【請求項１４】
核酸結合分子と複合又は接合している核酸の配列を備え、
前記核酸結合分子は、１つ又はそれ以上のタンパク質導入ドメイン（ＰＴＤｓ）と１つ又はそれ以上のスペーサとを含む１つ又はそれ以上のスペーサ組み込み型ＰＴＤｓを含み、
前記スペーサは、前記核酸の配列と結合しない１つ又はそれ以上のアミノ酸の配列を含み、
前記スペーサ組み込み型ＰＴＤｓは、配列番号５９の配列を含む複合体又は接合体。
【請求項１５】
前記核酸は、リン酸骨格を含む１本鎖核酸である請求項１４に記載の複合体又は接合体。